(57)【特許請求の範囲】
【請求項１】
相手ハウジングが嵌合可能な開口を有するハウジングと、このハウジングに撓み可能に設けられ前記相手ハウジングに係止可能な係止部を有するロックアームと、前記ハウジングに組付けられ前記開口を閉塞する閉塞部と前記ハウジングの外周を覆い前記ロックアームの係止部が内部に配置される保護部とを有する防塵キャップとを備えた防塵キャップ付コネクタであって、
前記ハウジングと前記防塵キャップとのうち一方には、前記ハウジングと前記保護部との間に前記ロックアームから離間して撓み可能に配置され係合部を有する防塵ロックアームが設けられ、
前記ハウジングと前記防塵キャップとのうち他方には、前記ハウジングと前記保護部との間に防塵ロックアームに近接して配置され前記係合部に係合可能な被係合部が設けられ、
前記被係合部は、前記ロックアームの係止部より前記閉塞部側に位置されていることを特徴とする防塵キャップ付コネクタ。
【請求項２】
相手ハウジングが嵌合可能な開口を有するハウジングと、このハウジングに撓み可能に設けられ前記相手ハウジングに係止可能な係止部を有するロックアームと、前記ハウジングに組付けられ前記開口を閉塞する閉塞部と前記ハウジングの外周を覆い前記ロックアームの係止部が内部に配置される保護部とを有する防塵キャップとを備えた防塵キャップ付コネクタであって、
前記ハウジングと前記防塵キャップとのうち一方には、前記保護部の内部で前記ハウジングと前記保護部との間に前記ロックアームから離間して撓み可能に配置され係合部を有する防塵ロックアームが設けられ、
前記ハウジングと前記防塵キャップとのうち他方には、前記保護部の内部で前記ハウジングと前記保護部との間に防塵ロックアームに近接して配置され前記係合部に係合可能な被係合部が設けられていることを特徴とする防塵キャップ付コネクタ。
【請求項３】
請求項１又は２記載の防塵キャップ付コネクタであって、
前記防塵ロックアームの係合部と前記被係合部との係合は、前記防塵キャップを前記ハウジングから取り外す方向に移動させることにより解除されることを特徴とする防塵キャップ付コネクタ。
【発明の詳細な説明】
【技術分野】
【０００１】
本発明は、防塵キャップ付コネクタに関する。
【背景技術】
【０００２】
従来、防塵キャップ付コネクタとしては、相手ハウジングが嵌合可能な開口を有するハウジングと、このハウジングに撓み可能に設けられ相手ハウジングに係止可能な係止部を有するロックアームと、ハウジングに組付けられ開口を閉塞する閉塞部としての端壁とハウジングの外周を覆いロックアームの係止部が内部に配置される保護部としての周壁とを有する防塵キャップとしての防塵カバーとを備えたものが知られている（例えば、特許文献１参照）。
【０００３】
この防塵キャップ付コネクタでは、防塵カバーの周壁の内周面にロックアームの係止部に係合可能な係合突起が設けられ、この係合突起とロックアームの係止部とを係合することによりハウジングに対する防塵カバーの組付状態が保持される。
【０００４】
一方、この防塵キャップ付コネクタでは、ハウジングから防塵カバーを取り外す場合、防塵カバーを変形させたり、防塵カバーの端壁に形成された孔から治具を差し入れることにより、係合突起とロックアームの係止部との係合を解除している。
【先行技術文献】
【特許文献】
【０００５】
【特許文献１】特開２００１−２６７００４号公報
【発明の概要】
【発明が解決しようとする課題】
【０００６】
しかしながら、上記特許文献１のような防塵キャップ付コネクタでは、ハウジングに対する防塵キャップの組付けにおいて、ハウジングのロックアームの係止部と防塵キャップの係合突起とを係合させている。
【０００７】
このため、ハウジングのロックアームの係止部と防塵キャップの係合突起との係合を解除させるときには、防塵キャップを変形させたり、防塵キャップに治具を挿入するなどして、ロックアームを撓ませて係合を解除する必要があるので、ロックアームに変形や破損などが発生する恐れがあり、相手ハウジングとの嵌合状態を安定して保持することができなくなる可能性があった。
【０００８】
そこで、この発明は、相手ハウジングとの嵌合状態を安定して保持することができる防塵キャップ付コネクタの提供を目的としている。
【課題を解決するための手段】
【０００９】
請求項１記載の発明は、相手ハウジングが嵌合可能な開口を有するハウジングと、このハウジングに撓み可能に設けられ前記相手ハウジングに係止可能な係止部を有するロックアームと、前記ハウジングに組付けられ前記開口を閉塞する閉塞部と前記ハウジングの外周を覆い前記ロックアームの係止部が内部に配置される保護部とを有する防塵キャップとを備えた防塵キャップ付コネクタであって、前記ハウジングと前記防塵キャップとのうち一方には、前記ハウジングと前記保護部との間に前記ロックアームから離間して撓み可能に配置され係合部を有する防塵ロックアームが設けられ、前記ハウジングと前記防塵キャップとのうち他方には、前記ハウジングと前記保護部との間に防塵ロックアームに近接して配置され前記係合部に係合可能な被係合部が設けられ、前記被係合部は、前記ロックアームの係止部より前記閉塞部側に位置されていることを特徴とする。
【００１０】
この防塵キャップ付コネクタでは、ハウジングと防塵キャップとのうち一方に設けられロックアームから離間して配置された係合部を有する防塵ロックアームと、他方に設けられ係合部に係合可能な被係合部との係合によって、ハウジングに対して防塵キャップが組付けられている。
【００１１】
このため、防塵キャップをハウジングから取り外す場合には、防塵キャップを変形させたり、防塵キャップに治具を挿入するなどして、防塵ロックアームの係合部と被係合部との係合を解除させても、防塵ロックアームや被係合部や治具がロックアームと干渉することがなく、ロックアームに変形や破損などの影響を与えることがない。
【００１２】
従って、このような防塵キャップ付コネクタでは、ロックアームに影響を与えずに、防塵キャップをハウジングから取り外すことができるので、ハウジングが相手ハウジングと嵌合した際には相手ハウジングとの嵌合状態を安定して保持することができる。
また、この防塵キャップ付コネクタでは、被係合部が、ロックアームの係止部より閉塞部側に位置されているので、誤ってロックアームの係止部と被係合部或いは防塵ロックアームの係合部とが一致する部分で、ハウジングに対して防塵キャップが組付けられても、ロックアームの係止部と被係合部或いは防塵ロックアームの係合部とが干渉することがなく、ハウジングに対する防塵キャップの誤組付けによるロックアームへの影響を防止することができる。
【００１３】
請求項２記載の発明は、相手ハウジングが嵌合可能な開口を有するハウジングと、このハウジングに撓み可能に設けられ前記相手ハウジングに係止可能な係止部を有するロックアームと、前記ハウジングに組付けられ前記開口を閉塞する閉塞部と前記ハウジングの外周を覆い前記ロックアームの係止部が内部に配置される保護部とを有する防塵キャップとを備えた防塵キャップ付コネクタであって、前記ハウジングと前記防塵キャップとのうち一方には、前記保護部の内部で前記ハウジングと前記保護部との間に前記ロックアームから離間して撓み可能に配置され係合部を有する防塵ロックアームが設けられ、前記ハウジングと前記防塵キャップとのうち他方には、前記保護部の内部で前記ハウジングと前記保護部との間に防塵ロックアームに近接して配置され前記係合部に係合可能な被係合部が設けられていることを特徴とする。
請求項３記載の発明は、請求項１又は２記載の防塵キャップ付コネクタであって、前記防塵ロックアームの係合部と前記被係合部との係合は、前記防塵キャップを前記ハウジングから取り外す方向に移動させることにより解除されることを特徴とする。
【００１４】
この防塵キャップ付コネクタでは、防塵ロックアームの係合部と被係合部との係合が、防塵キャップをハウジングから取り外す方向に移動させることにより解除されるので、防塵キャップの変形や防塵キャップ内に治具などを挿入する必要がなく、さらにロックアームへの影響を防止することができる。
【００１５】
請求項３記載の発明は、請求項１又は２記載の防塵キャップ付コネクタであって、前記被係合部は、前記ロックアームの係止部より前記閉塞部側に位置されていることを特徴とする。
【発明の効果】
【００１７】
本発明によれば、相手ハウジングとの嵌合状態を安定して保持することができる防塵キャップ付コネクタを提供することができるという効果を奏する。
【図面の簡単な説明】
【００１８】
【図１】本発明の実施の形態に係る防塵キャップ付コネクタを一側から見たときの斜視図である。
【図２】本発明の実施の形態に係る防塵キャップ付コネクタを他側から見たときの斜視図である。
【図３】本発明の実施の形態に係る防塵キャップ付コネクタを一側から見たときの分解斜視図である。
【図４】本発明の実施の形態に係る防塵キャップ付コネクタを他側から見たときの分解斜視図である。
【図５】本発明の実施の形態に係る防塵キャップ付コネクタを防塵キャップ側から見たときの正面図である。
【図６】本発明の実施の形態に係る防塵キャップ付コネクタの断面図である。
【図７】本発明の実施の形態に係る防塵キャップ付コネクタの要部拡大断面図である。
【発明を実施するための形態】
【００１９】
図１〜図７を用いて本発明の実施の形態に係る防塵キャップ付コネクタについて説明する。
【００２０】
本実施の形態に係る防塵キャップ付コネクタ１は、相手ハウジング（不図示）が嵌合可能で端子収容室２１の開口を有するハウジング３と、このハウジング３に撓み可能に設けられ相手ハウジングに係止可能な係止部５を有するロックアーム７と、ハウジング３に組付けられ開口を閉塞する閉塞部９とハウジング３の外周を覆いロックアーム７の係止部５が内部に配置される保護部１１とを有する防塵キャップ１３とを備えている。
【００２１】
そして、防塵キャップ１３には、ハウジング３と保護部１１との間にロックアーム７から離間して撓み可能に配置され係合部１５を有する防塵ロックアーム１７が設けられ、ハウジング３には、ハウジング３と保護部１１との間に防塵ロックアーム１７に近接して配置され係合部１５に係合可能な被係合部１９が設けられている。
【００２２】
また、防塵ロックアーム１７の係合部１５と被係合部１９との係合は、防塵キャップ１３をハウジング３から取り外す方向に移動させることにより解除される。
【００２３】
さらに、被係合部１９は、ロックアーム７の係止部５より閉塞部９側に位置されている。
【００２４】
ここで、相手ハウジングは、合成樹脂などの絶縁性材料からなり、円筒状に形成されている。この相手ハウジングの内部には、電源や機器などに電気的に接続され、タブ状の接続部を有する雄端子からなる相手端子（不図示）が収容されている。
【００２５】
このような相手ハウジングの上部には、ハウジング３との嵌合方向の前側が傾斜面とされ、ハウジング３との嵌合方向の後側が上面とほぼ垂直に形成され係止面とされた被係止部（不図示）が突設されている。
【００２６】
このように構成された相手ハウジングは、ハウジング３と嵌合可能となっており、ハウジング３と嵌合した状態で、被係止部がハウジング３に設けられたロックアーム７の係止部５に係止されることによって、ハウジング３との嵌合状態が保持される。
【００２７】
なお、以下の説明では、嵌合側を基準とし、ハウジング３の相手ハウジング及び防塵キャップ１３との嵌合側を一端側、他方を他端側とし、又、防塵キャップ１３のハウジング３との嵌合側を一端側、他方を他端側としている。
【００２８】
図１〜図７に示すように、ハウジング３は、合成樹脂などの絶縁性材料からなり、一端側が相手ハウジングと嵌合可能な筐体状に形成され、内部に複数の端子収容室２１が設けられると共に、上面側にロックアーム７が撓み可能に設けられている。
【００２９】
なお、ロックアーム７は、撓み可能に設けられているが、ロックアーム７の全体的な動きは長さ方向の一端側と他端側とが揺動するので、以下では揺動という表現を用いて説明する。
【００３０】
端子収容室２１は、ハウジング３の中央部にハウジング３の長さ方向に沿って形成されてハウジング３の幅方向に沿って複数（ここでは４つ）配置され、ハウジング３の他端側に設けられた開口からそれぞれ相手端子の接続部に接続可能な箱状の接続部を有する雌型端子からなる複数の端子（不図示）が収容される。なお、端子は、電源や機器などに接続された電線（不図示）の端末部に圧着部が圧着されて電気的に接続されている。
【００３１】
この端子は、ハウジング３の他端側に設けられた開口から端子収容室２１内に挿入され、端子収容室２１内に撓み可能に設けられた係止ランス（不図示）が係止することによって端子収容室２１内からの抜け止めがなされる。
【００３２】
なお、端末部に端子が接続された電線の外周には、端子収容室２１の内壁面と密着して端子収容室２１内を防水するゴム栓などのシール部材が装着されている。
【００３３】
このような端子は、相手ハウジングとハウジング３とが嵌合することにより、端子収容室２１の一端側の開口から挿入される相手端子の接続部が箱状の接続部内に挿入され、相手端子と電気的に接続される。
【００３４】
この端子と相手端子との接続状態は、相手ハウジングとハウジング３との嵌合状態を保持するロックアーム７の係止部５と相手ハウジングの被係止部との係止によって保持される。
【００３５】
なお、ハウジング３の端子収容室２１の外周には、相手ハウジングの内周面と密着してハウジング３の内部と外部とを区画して防水するパッキンなどのシール部材２３が装着されている。
【００３６】
ロックアーム７は、ハウジング３の上方にハウジング３の高さ方向に揺動可能に設けられ、ハウジング３の長さ方向に沿って枠状に形成されて一端側に係止部５が設けられ、他端側に解除操作部２５が設けられている。
【００３７】
係止部５は、相手ハウジングとの嵌合方向の前側の下面側が傾斜面となっており、相手ハウジングとの嵌合方向の後側が上面とほぼ垂直に形成された係止面となっている。
【００３８】
この係止部５は、相手ハウジングとハウジング３とが嵌合する際に、傾斜面が被係止部の傾斜面と当接することによってロックアーム７を上方に向けて揺動させ、相手ハウジングとハウジング３とが嵌合した際に、被係止部を乗り越えロックアーム７が下方に向けて復元するように揺動することにより、係止面が被係止部の係止面を係止して相手ハウジングとハウジング３との嵌合状態を保持する。
【００３９】
解除操作部２５は、上面が操作者の指などによって下方に向けて押圧されることにより、ロックアーム７の係止部５側を上方に向けて揺動させ、係止部５と被係止部との係止を解除することによって、相手ハウジングとハウジング３との嵌合を解除することができる。
【００４０】
このようにハウジング３の一端側の開口には、相手ハウジングが嵌合されて内部に収容された端子と相手端子とが電気的に接続される。このようなハウジング３は、相手ハウジングと嵌合していない状態で、一端側の開口が露出されているので、この開口から水や埃などがハウジング３の内部に侵入する恐れがある。
【００４１】
そこで、ハウジング３と相手ハウジングとが嵌合していない状態では、ハウジング３の一端側に防塵キャップ１３が組付けられている。
【００４２】
防塵キャップ１３は、合成樹脂などの絶縁性材料からなり、一端側が開口された有底の筒状に形成され、閉塞部９と、保護部１１とを備えている。
【００４３】
閉塞部９は、有底の筒状に形成された他端側の底壁部となっており、防塵キャップ１３が一端側の開口からハウジング３に組付けられると、ハウジング３の一端側の開口を閉塞する。
【００４４】
この閉塞部９によってハウジング３の開口を閉塞することにより、ハウジング３の内部に水や埃などの異物が侵入することを防止することができる。
【００４５】
保護部１１は、閉塞部９と連続する一部材で形成され有底の筒状に形成された筒状部となっており、防塵キャップ１３が一端側の開口からハウジング３に組付けられると、ロックアーム７の係止部５を内部に収容するようにハウジング３の外周に位置される。
【００４６】
この保護部１１によってロックアーム７の係止部５を覆うことにより、ロックアーム７の係止部５が周辺部材と干渉することがなくなるので、係止部５の変形や破損を防止することができ、相手ハウジングとハウジング３との嵌合状態を安定して保持することができる。
【００４７】
このような防塵キャップ１３は、一端側の開口からハウジング３の一端側（相手ハウジングとの嵌合面側）の開口に向けて組付けられ、ハウジング３に対する組付状態が防塵ロックアーム１７と被係合部１９とによって保持される。
【００４８】
防塵ロックアーム１７は、防塵キャップ１３の内部に撓み可能に設けられ、防塵キャップ１３がハウジング３に組付けられた状態で、ハウジング３と保護部１１との間に配置される。この防塵ロックアーム１７は、ハウジング３と保護部１１との間に配置された状態で、ハウジング３のロックアーム７と１８０度離間して位置されている。
【００４９】
このような防塵ロックアーム１７には、防塵キャップ１３の内方（ハウジング３側）に向けて係合部１５が突設されている。係合部１５は、ハウジング３への組付方向の前側が傾斜面となっており、ハウジング３への組付方向の後側が組付方向とほぼ垂直に形成された係止面となっている。この係合部１５は、ハウジング３に設けられた被係合部１９に係合される。
【００５０】
なお、防塵ロックアーム１７の外周には、防塵キャップ１３の保護部１１が配置されており、防塵ロックアーム１７や係合部１５が周辺部材と干渉することがなく、防塵ロックアーム１７や係合部１５の変形や破損が防止されている。
【００５１】
被係合部１９は、ハウジング３の一端側の外周の周方向に連続し外方に向けてリブ状に突設されている。この被係合部１９は、防塵キャップ１３がハウジング３に組付けられた状態で、ロックアーム７の係止部５より閉塞部９側に位置されている。
【００５２】
このように被係合部１９の位置を設定することにより、被係合部１９に係合する防塵ロックアーム１７の係合部１５も、ロックアーム７の係止部５より閉塞部９側に位置されることになる。
【００５３】
このため、誤って防塵キャップ１３をロックアーム７の係止部５と防塵ロックアーム１７の係合部１５とが一致するように防塵キャップ１３を１８０度異なる向きでハウジング３に組付けても、ロックアーム７の係止部５と防塵ロックアーム１７の係合部１５とが干渉することがなく、誤組付けによる係止部５の変形や破損を防止することができる。
【００５４】
なお、ロックアーム７と被係合部１９とは、ハウジング３の周方向に対して１８０度異なる位置に設けられているが、例えば、ロックアーム７と被係合部１９とをハウジング３の周方向に対して９０度異なる位置に設けるように、ロックアーム７と被係合部１９とをハウジング３の周方向に対して対向しない位置に設けてもよい。
【００５５】
この場合でも、防塵キャップ１３をハウジング３に対して誤った向きで組付けても、ロックアーム７と防塵ロックアーム１７とが完全に離間しており、互いの干渉を確実に防止することができる。
【００５６】
このような被係合部１９は、防塵キャップ１３をハウジング３に組付ける際に、防塵ロックアーム１７の係合部１５の傾斜面が被係合部１９と当接することによって防塵ロックアーム１７を外方に向けて撓ませ、防塵キャップ１３をハウジング３に組付けた際に、防塵ロックアーム１７の係合部１５が被係合部１９を乗り越え防塵ロックアーム１７が内方に向けて復元することにより、防塵ロックアーム１７の係合部１５の係止面が被係合部１９を係止して防塵キャップ１３のハウジング３に対する組付状態を保持する。
【００５７】
ここで、防塵ロックアーム１７の弾性力は、防塵キャップ１３をハウジング３から引き抜く方向に移動させることにより、防塵ロックアーム１７を撓ませ、係合部１５と被係合部１９との係合を解除できる程度に設定されている。
【００５８】
このため、防塵キャップ１３をハウジング３から取り外す場合には、防塵キャップ１３をハウジング３から引き抜く方向に移動させれば、容易に防塵キャップ１３をハウジング３から取り外すことができる。
【００５９】
なお、防塵キャップ１３の閉塞部９には、防塵ロックアーム１７が位置する部分に内部と外部とを連通する孔２７が設けられており、防塵キャップ１３をハウジング３から引き抜いて取り外せない場合、この孔２７に治具などを挿入して防塵ロックアーム１７を撓ませて、係合部１５と被係合部１９との係合を解除することができる。
【００６０】
このように孔２７に治具などを挿入する場合であっても、ロックアーム７と防塵ロックアーム１７とは、離間して配置されているので、防塵キャップ１３内に挿入された治具などがロックアーム７と干渉することがなく、ロックアーム７の変形や破損を防止することができる。
【００６１】
このような防塵キャップ付コネクタ１では、防塵キャップ１３に設けられロックアーム７から離間して配置された係合部１５を有する防塵ロックアーム１７と、ハウジング３に設けられ係合部１５に係合可能な被係合部１９との係合によって、ハウジング３に対して防塵キャップ１３が組付けられている。
【００６２】
このため、防塵キャップ１３をハウジング３から取り外す場合には、防塵キャップ１３を変形させたり、防塵キャップ１３に治具を挿入するなどして、防塵ロックアーム１７の係合部１５と被係合部１９との係合を解除させても、防塵ロックアーム１７や被係合部１９や治具がロックアーム７と干渉することがなく、ロックアーム７に変形や破損などの影響を与えることがない。
【００６３】
従って、このような防塵キャップ付コネクタ１では、ロックアーム７に影響を与えずに、防塵キャップ１３をハウジング３から取り外すことができるので、ハウジング３が相手ハウジングと嵌合した際には相手ハウジングとの嵌合状態を安定して保持することができる。
【００６４】
また、防塵ロックアーム１７の係合部１５と被係合部１９との係合は、防塵キャップ１３をハウジング３から取り外す方向に移動させることにより解除されるので、防塵キャップ１３の変形や防塵キャップ１３内に治具などを挿入する必要がなく、さらにロックアーム７への影響を防止することができる。
【００６５】
さらに、被係合部１９は、ロックアーム７の係止部５より閉塞部９側に位置されているので、誤ってロックアーム７の係止部５と防塵ロックアーム１７の係合部１５とが一致する部分で、ハウジング３に対して防塵キャップ１３が組付けられても、ロックアーム７の係止部５と防塵ロックアーム１７の係合部１５とが干渉することがなく、ハウジング３に対する防塵キャップ１３の誤組付けによるロックアーム７への影響を防止することができる。
【００６６】
なお、本発明の実施の形態に係る防塵キャップ付コネクタでは、防塵キャップに防塵ロックアームが設けられ、ハウジングに被係合部が設けられているが、これに限らず、防塵キャップに被係合部を設け、ハウジングに防塵ロックアームを設けてもよい。
【００６７】
また、被係合部は、ハウジングの開口側の外周に周方向に連続するリブ状に形成されているが、これに限らず、防塵ロックアームの係合部と一致する部分に設けられた係合突起などであってもよく、防塵ロックアームの係合部と係合できるものであれば、被係合部はどのような形状であってもよい。
【００６８】
さらに、被係合部は、ハウジングの上面にはリブ状に設けられていないが、ハウジングの外周の周方向に完全に連続する環状のリブとして被係合部を設けてもよい。
【００６９】
この場合には、防塵キャップをハウジングに対してどの向きで組付けても、防塵ロックアームの係合部に被係合部を組付けることができるので、防塵キャップのハウジングへの組付作業において、防塵キャップの向きを確認する必要がなく、組付性を向上することができる。特に、ハウジングや防塵キャップの形状が、真円状や正多角形状に形成されているときに有効である。
【符号の説明】
【００７０】
１…防塵キャップ付コネクタ
３…ハウジング
５…係止部
７…ロックアーム
９…閉塞部
１１…保護部
１３…防塵キャップ
１５…係合部
１７…防塵ロックアーム
１９…被係合部
【図１】
0006514496.tif 000002
【図２】
0006514496.tif 000003
【図３】
0006514496.tif 000004
【図４】
0006514496.tif 000005
【図５】
0006514496.tif 000006
【図６】
0006514496.tif 000007
【図７】
0006514496.tif 000008